(57)【要約】      （修正有）【課題】ユーザーが切片体を皮膚又は瞼に装着して二重瞼を強調するとともに目のサイズを大きくすることができ、目をより美しくするとともに通気可能にする、多機能の弾性的な通気性切片を提供する。【解決手段】切片体Ａで構成され、皮膚又はヒトの身体の種々の部分に付着させ、貼り付け、覆い、又は被覆するのに用いることができる多機能の弾性的な通気性切片であって、切片体の上側又は下側が網状構造Ｂ、巣のような構造、孔状構造又は孔状構造でできており、それによって、ユーザーが切片体Ａを皮膚又は瞼に装着して二重瞼を強調するとともに目のサイズを大きくすることができ、目をより美しくするとともに通気可能にすることを特徴とする、多機能の弾性的な通気性切片に関する。【選択図】図１
0003186487.tif 000002
【実用新案登録請求の範囲】
【請求項１】
切片体で構成され、皮膚又はヒトの身体の種々の部分に付着させ、貼り付け、覆い、又は被覆するのに用いることができる多機能の弾性的な通気性切片であって、切片体の上側又は下側が網状構造、巣のような構造、孔状構造又は孔状構造でできており；それによって、ユーザーが前記切片体を皮膚又は瞼に装着して二重瞼を強調するとともに目のサイズを大きくすることができ、目をより美しくするとともに通気可能にすることを特徴とする、多機能の弾性的な通気性切片。
【請求項２】
前記切片体は１つ又は複数の付着部分とともに構成することができる、請求項１に記載の多機能の弾性的な通気性切片。
【請求項３】
前記付着部分は前記切片体と一体化することができ；前記付着部分は、フィルム、フィルム層、又はコロイド粒子であるものとすることができる、請求項２に記載の多機能の弾性的な通気性切片。
【請求項４】
前記切片体を付着、担持又は固定させるのに更なる担持体が設けられる、請求項１に記載の多機能の弾性的な通気性切片。
【請求項５】
前記切片体を付着、担持又は固定させるのに更なる担持体が設けられる、請求項２又は３に記載の多機能の弾性的な通気性切片。
【請求項６】
前記切片部分は、ユーザーが引き裂くための１つ乃至複数の切り取り線とともに構成することができる、請求項１〜４のいずれか一項に記載の多機能の弾性的な通気性切片。
【請求項７】
前記切片部分は、ユーザーが引き裂くための１つ乃至複数の切り取り線とともに構成することができる、請求項５に記載の多機能の弾性的な通気性切片。
【請求項８】
前記切片部分には、液体、ローション、クリーム又は粉末を添加、塗り付け、又はコーティングすることができる、請求項１〜４のいずれか一項に記載の多機能の弾性的な通気性切片。
【請求項９】
前記切片部分には、液体、ローション、クリーム又は粉末を添加、塗り付け、又はコーティングすることができる、請求項５に記載の多機能の弾性的な通気性切片。
【請求項１０】
切片体で構成され、皮膚又はヒトの身体の種々の部分に付着させ、貼り付け、覆い、又は被覆するのに用いることができる多機能の弾性的な通気性切片であって、前記切片体が網状構造、巣のような構造、孔状構造又は孔状構造であり；それによって、ユーザーが前記切片体を皮膚又は瞼に装着して二重瞼を強調するとともに目のサイズを大きくすることができ、目をより美しくするとともに通気可能にすることを特徴とする、多機能の弾性的な通気性切片。
【請求項１１】
前記切片体は１つ又は複数の付着部分とともに構成することができる、請求項１０に記載の多機能の弾性的な通気性切片。
【請求項１２】
前記付着部分は前記切片体と一体化することができ；前記付着部分は、フィルム、フィルム層、又はコロイド粒子であるものとすることができる、請求項１１に記載の多機能の弾性的な通気性切片。
【請求項１３】
前記切片体を付着、担持又は固定させるのに更なる担持体が設けられる、請求項１０に記載の多機能の弾性的な通気性切片。
【請求項１４】
前記切片体を付着、担持又は固定させるのに更なる担持体が設けられる、請求項１１又は１２に記載の多機能の弾性的な通気性切片。
【請求項１５】
前記切片部分は、ユーザーが引き裂くための１つ乃至複数の切り取り線とともに構成することができる、請求項１０〜１３のいずれか一項に記載の多機能の弾性的な通気性切片。
【請求項１６】
前記切片部分は、ユーザーが引き裂くための１つ乃至複数の切り取り線とともに構成することができる、請求項１４に記載の多機能の弾性的な通気性切片。
【請求項１７】
前記切片部分には、液体、ローション、クリーム又は粉末を添加、塗り付け、又はコーティングすることができる、請求項１０〜１３のいずれか一項に記載の多機能の弾性的な通気性切片。
【請求項１８】
前記切片部分には、液体、ローション、クリーム又は粉末を添加、塗り付け、又はコーティングすることができる、請求項１４に記載の多機能の弾性的な通気性切片。
【考案の詳細な説明】
【技術分野】
【０００１】
本考案は切片に関し、特に、ユーザーが切片体を皮膚又は瞼に装着して二重瞼を強調するとともに目のサイズを大きくすることができ、目をより美しくするとともに通気可能にする、多機能の弾性的な通気性切片に関連するものである。
【背景技術】
【０００２】
より美しくなろうとするのが女性の本質である。人間の感情の窓が目であるため、たいていの女性は目を最も気にかける。
【０００３】
二重瞼は人をより美しくする。二重瞼用のシール又は二重瞼用の糊等の多くの製品を用いて、二重とみなされる二重瞼を作ることができる。
【０００４】
しかし、これらの製品は目立ちすぎ、またヒリヒリし過ぎるため使用することができない。したがって、通気性があり有用な製品をどのようにして提供するかが非常に重要な問題である。
【考案の概要】
【考案が解決しようとする課題】
【０００５】
本考案の考案者は、何年もかけて本考案を研究及び開発した。
【０００６】
本考案の主な目的は、切片体であって、ユーザーが切片体を皮膚又は瞼に装着して二重瞼を強調するとともに目のサイズを大きくすることができ、目をより美しくするとともに通気可能にする、切片体を提供することである。
【課題を解決するための手段】
【０００７】
本考案は、切片体で構成され、皮膚又はヒトの身体の種々の部分に付着させ、貼り付け、覆い、又は被覆するのに用いることができる多機能の弾性的な通気性切片であって、切片体の上側又は下側が網状構造、巣のような構造、孔状構造又は孔状構造でできていることを特徴とする、多機能の弾性的な通気性切片に関する。
【図面の簡単な説明】
【０００８】
【図１】本考案の実施形態を示す図である。
【考案を実施するための形態】
【０００９】
図１を参照されたい。図１は、本考案の実施形態を示す図である。
【００１０】
本考案は、切片体Ａで構成され、皮膚又はヒトの身体の種々の部分に付着させ、貼り付け、覆い、又は被覆するのに用いることができ、切片体の上側又は下側が網状構造Ｂ、巣のような構造、孔状構造又は孔状構造でできており；それによって、ユーザーが切片体Ａを皮膚又は瞼に装着して二重瞼を強調するとともに目のサイズを大きくすることができ、目をより美しくするとともに通気可能にすることを特徴とする。本考案はまた、切片体が網状構造、巣のような構造、孔状構造又は孔状構造であり；それによって、ユーザーが切片体Ａを皮膚又は瞼に装着して二重瞼を強調するとともに目のサイズを大きくすることができ、目をより美しくするとともに通気可能にすることを特徴とする。
【００１１】
上記切片体Ａは、１つ又は複数の付着部分Ｃとともに構成することができ、当該付着部分Ｃは切片体Ａと一体化することができ；上記付着部分Ｃは、フィルム、フィルム層、又はコロイド粒子であるものとすることができる。
【００１２】
上記切片体Ａを付着、担持又は固定させるのに更なる担持体Ｄが設けられる。
【００１３】
上記切片部分Ａは、ユーザーが引き裂くための１つ乃至複数の切り取り線とともに構成することができる。
【００１４】
加えて、上記切片部分Ａには、液体、ローション、クリーム又は粉末を添加、塗り付け、又はコーティングすることができる。
【００１５】
当業者には理解されるように、本考案の上述の好ましい実施形態は、本考案の限定的な説明ではなく例示である。例えば切片部分の材料及び付着部分の位置のような、種々の変更形態及び同様の構成をカバーし、上記は全て変形が可能であり、添付の実用新案登録請求の範囲の主旨及び範囲内にあるとみなされるべきであることが意図される。要するに、主旨及び範囲は、全てのそのような変更形態及び同様の構造を包含するように、最も広範に解釈されるべきである。
【符号の説明】
【００１６】
Ａ  切片部分
Ｂ  網状構造
Ｃ  付着部分
Ｄ  担持部分
【図１】
0003186487.tif 000003